(57)【要約】【課題】天井、側壁に取り付ける照明器具の常用光源ユニットが熱による変形時に、非常用光源ユニットの配光を遮ることを防止できる。【解決手段】照明器具本体１００と、常用電源から供給される電力で点灯し、照明器具本体１００に着脱可能で、長尺な常用光源ユニット２０と、蓄電池４０から供給される電力で点灯し、照明器具本体１００における常用光源ユニット２０の側面に取付けられ、複数個のＬＥＤ３２を略直線的に配置した非常用光源ユニット３０とを備え、照明器具本体１０の設置面である天井９０からの非常用光源ユニット３０の高さを常用光源ユニット２０の高さより高くなるように構成した。【選択図】図３
2020173975.tif 000002
【特許請求の範囲】
【請求項１】
照明器具本体と、
常用電源から供給される電力で点灯し、前記照明器具本体に着脱可能で、長尺な常用光源ユニットと、
蓄電池から供給される電力で点灯し、前記照明器具本体における前記常用光源ユニットの側面に取付けられ、複数個のＬＥＤを略直線的に配置した非常用光源ユニットを備え、
前記照明器具本体の構造物への設置面から前記常用光源ユニットの出射面までの高さより、前記将恵美装置本体の構造物への接地面から前記非常用光源ユニットの出射面までの高さの方が高いことを特徴とする照明器具。
【請求項２】
請求項１に記載の照明器具において、
前記非常用光源ユニットの光を放つ出射面を支持する外郭は金属製、もしくは前記常用光源ユニットのＬＥＤカバーを構成する樹脂よりも高い耐熱性を有した樹脂製であることを特徴とする照明器具。
【発明の詳細な説明】
【技術分野】
【０００１】
本発明は、照明器具に関し、一般照明と非常用照明を兼用する照明器具（以下、非常用照明器具という）に関する。
【背景技術】
【０００２】
従来、非常用照明器具として、例えば特許文献１には、常用照明用の光源である直管形のＬＥＤランプと、そのＬＥＤランプの横に並べて、非常用照明用の光源である直管形の蛍光ランプとを備え、階段の踊り場の壁面に設置される。
【先行技術文献】
【特許文献】
【０００３】
【特許文献１】特開２０１４−９３１２２号公報
【発明の概要】
【発明が解決しようとする課題】
【０００４】
照明器具は、常用光源ユニットと非常用光源ユニットが一体になっている組込型の照明器具において一般専用照明器具（以下、一般照明器具という）と同エリアの天井や階段の踊り場等に設置される。
【０００５】
設置場所の下側から火災による熱が加わったときに、常用光源ユニットの樹脂が溶けて変形し、非常用光源ユニットの配光を遮るという恐れがあった。
【０００６】
本発明は、天井、側壁に取り付ける照明器具の常用光源ユニットが熱による変形時に、非常用光源ユニットの配光を遮ることを防止でき照明器具を提供することを目的とする。
【課題を解決するための手段】
【０００７】
前記課題を達成するため、本発明の照明器具は、照明器具本体と、常用電源から供給される電力で点灯し、前記照明器具本体に着脱可能で、長尺な常用光源ユニットと、蓄電池から供給される電力で点灯し、前記照明器具本体における前記常用光源ユニットの側面に取付けられ、複数個のＬＥＤを略直線的に配置した非常用光源ユニットを備え、前記照明器具本体の構造物への設置面からの高さが前記常用光源の高さより前記非常用光源ユニットの光を放つ出射面の高さが高くなっている非常用光源ユニットを備えたものである。
【発明の効果】
【０００８】
本発明によれば、天井、側壁に取り付ける照明器具の常用光源ユニットが熱によって変形した際に、非常用光源ユニットの配光を遮ることを防止できる。
【図面の簡単な説明】
【０００９】
【図１】実施形態に係る照明器具の床方向から見た斜視図である。
【図２】実施形態に係る照明器具の床方向から見た分解斜視図である。
【図３】実施形態に係る照明器具の左側面図である。
【図４】実施形態に係る照明器具の左断面側面図である。
【図５】実施形態に係る照明器具の正面図である。
【図６】実施形態に係る照明器具の底面図である。
【図７】実施形態に係る照明器具の常用光源ユニットを取り外した底面図である。
【図８】実施形態に係る照明器具の常用光源ユニットを取り外した斜視図である。
【発明を実施するための形態】
【００１０】
以下、図面を参照して、本発明の実施の形態（以下、「本実施形態」と称する）につき詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１１】
本実施形態の非常用照明器具１００は、図１〜図８に示すように照明器具本体１０と、常用光源ユニット２０と、非常用光源ユニット３０と、非常用蓄電池（以下、蓄電池４０という）で構成される。照明器具本体１０は天井９０の下面（天井面）に図示しない吊ボルトなどにより固定される。常用光源ユニット２０は照明器具本体１０に着脱可能であり、交換時または清掃時を除く通常使用される状態では照明器具本体１０に取り付けられて使用される。
【００１２】
照明器具本体１０は、板金に曲げ加工を施したもので長尺且つ上面が天井９０に接する平面の取付面１２ａを有し、下方向（天井９０との対向側）が開口した逆凹部１４を有し、逆凹部１４の端縁から左右の外側且つ斜め上方向に向かって延出する傾斜部１６が設けられており、傾斜部１６左右どちらか一方には非常用光源ユニット３０を貫通できる貫通穴１６１が設けられている。また、取付面１２、逆凹部１４、傾斜部１６は照明器具本体１０の長尺方向の全体にわたり形成されている。尚、逆凹部１４の端縁から左右の外側且つ天井面方向とは逆の斜め下方向に向かって延出されていてもよい。
【００１３】
取付面１２には、天井面からの図示しない電源線９２を貫通させるための通線孔１７、図示しない吊ボルト９４を貫通させ照明器具本体１０を天井９０に固定するための取付穴１８が設けられている。また、凹部１４内面の平面１２ｂには、蓄電池４０、電源接続端子台５０が取り付けられている。
【００１４】
常用光源ユニット２０は、常用光源ユニット２０の骨格となる取付板２１と、発光部材である複数個の常用ＬＥＤモジュール２２と、常用ＬＥＤモジュール２２を覆うように取付板２１に取り付けられるＬＥＤカバー２４と、常用ＬＥＤモジュール２２の発光を制御する電源装置２５を備える。
【００１５】
ＬＥＤモジュール２２は、長尺で矩形板状に形成された常用光源基板２３に実装されている。常用光源基板２３と電源装置２５は電線により電気的に接続され、電源装置２５と電源接続端子台５０は図示しない接続コネクタ２７により電気的に接続されている。
【００１６】
商用電源の常用回路より電源線９２から電源接続端子台５０を中継し電源装置２５に駆動電力が供給され、電源装置２５によりＬＥＤ点灯電力に変換して常用ＬＥＤモジュール２２を点灯させる。尚、常用回路には常用光源をＯＮ−ＯＦＦさせるスイッチが設けられることが一般的である。
【００１７】
非常用光源ユニット３０の外郭は、不燃材（金属、ガラスなど）で構成されている。収納ボックス３１、非常用ＬＥＤモジュール３２、非常用光源基板３３、レンズカバー３４、ガラスカバー３５、非常用制御基板３６、図示しない非常用接続コネクタ３７、化粧カバー３８、取付板３９を備える。
【００１８】
６０は、非常点検用操作部で、点検時に、引く等の操作によって、非常用光源ユニツトの点灯動作を確認する。
【００１９】
商用電源のＯＮ−ＯＦＦスイッチが設けられていない非常用専用回路により、図示しない電源線９２から電源接続端子台５０を中継し非常用制御基板３６に駆動電力が供給され、非常用制御基板３６により変換された充電電力を図示しない非常用接続コネクタ３７で接続された蓄電池４０をトリクル充電している。
【００２０】
収納ボックス３１は、非常用光源ユニット３０を構成する電気部品および光学部品を収納する樹脂製で断面形状が略Ｈであり、上面側（天井面側）と下面側（床面側）が形成できるよう仕切られている箱形形状である。
【００２１】
非常用制御基板３６は、長尺で矩形板状のプリント基板で電子部品などを実装し、通常は蓄電池４０をトリクル充電し、また常用電源遮断時には蓄電池に蓄えたエネルギーで非常用ＬＥＤモジュール３２の発光を制御するための電子回路構成しており、収納ボックス内の仕切り上面側に配置されている。
【００２２】
非常用光源基板３３は、長尺で矩形板状のプリント基板で複数個の非常用ＬＥＤモジュール３２を常用光源ユニット２０に並列配置、且つ前後（長手）方向に略直線配置で実装しており、収納ボックス内の仕切り下面側に非常用ＬＥＤモジュール３２実装面が床面側になるよう配置されている。非常用光源基板３３と非常用制御基板３６は、収納ボックス３１の上下の仕切りを貫通する図示しない電線により電気的に接続されている。
【００２３】
レンズカバー３４は、非常用光源基板３３に複数個実装された非常用ＬＥＤモジュール３２を個々に覆うようにレンズ３４１を形成し、非常用ＬＥＤモジュール３２から放射される光の方向（または強さなど）を制御する。非常用光源基板３３の照射面側を覆うよう収納ボックス３１内の仕切り下面側に固定されている。尚、レンズ３４１は複数個の非常用ＬＥＤモジュール３２を纏めて覆ってもよい。
【００２４】
レンズカバー３４は、透光性に優れた合成樹脂材料（例えば、ポリスチレン樹脂など）で形成されることが望しい。レンズ３４１の形状は、凹非球面形状の入射面から非常用ＬＥＤモジュール３２からの光を入射させ、凸非球面形状の出射面から出射させる広配光レンズであることが望ましい。
【００２５】
化粧カバー３８は、不燃性の鋼鈑で収納ボックス３１の上面側を除く面を覆う略箱形状で、収納ボックス３１に配置したガラスカバー３５が床面方向から見えるよう底面３８ａには略長方形の光路孔３８２が形成されている。また、化粧カバー３８の外郭の色は、照明器具本体１０の外郭色と合わせることで一体感を高めることができる。
【００２６】
ガラスカバー３５は、長尺で矩形板状の平板であり収納ボックス３１の下面側の光路孔３８２を塞ぐよう配置されている。透光性に優れ破損時の安全性を考慮し割れにくい強化ガラス製であるが望ましい。また、ガラス破損時に危険なガラス破片の飛散を防ぐため製品外郭面のガラスカバーには飛散防止フィルムを貼り付けることが考えられる。
【００２７】
取付蓋３９は、収納ボックス３１を覆った化粧カバー３８の開口側でネジなどにより締結し、収納ボックス３１の上面側の蓋をする。また、収納ボックス３１の上面開口側を塞ぐ蓋部３９１を照明器具本体１０方向に延出させた蓋締結部３９２を形成することで照明器具本体１０とネジなどによる締結を可能にする。
【００２８】
収納ボックス３１と化粧カバー３８の常用光源側の長手立壁面には図示しない通線溝３１１と図示しない通線溝３８３が同位置に形成されており、非常用制御基板３３と電源接続端子台５０を電気的に接続する図示しない非常用電源線５１、および非常用制御基板３３と蓄電池４０を電気的に接続する図示しない充電線３３１の非常用光源ユニット３０外への引き出しを可能にしている。尚、充電線３３１の先端には非常用接続コネクタ図示しない３３２が接続されており蓄電池の取り付け・取り外しを容易にしている。
【００２９】
蓄電池４０は、例えば、複数個の円筒形状ニッケル水素電池を合成樹脂材料などの電気絶縁性を有する材料で覆い纏め、各種電池の正極と負極を電気的に接続された引出線４１が引き出されている。尚、引出線４１の先端は図示しない非常用接続コネクタ４２が接続されている。
【００３０】
また、蓄電池４０は経時劣化により非常用光源を設定照度・設定時間点灯されるための電池性能が失われるため、定期的に交換が必要な消耗部品である。そのことから蓄電池４０の取付位置は、常用光源ユニット２０を取り外した状態で目視確認できる照明器具本体１０の凹部１４内面の平面１２ｂに押え金具４３にて固定することで蓄電池４０の交換作業を容易にする。
【００３１】
常用光源ユニット２０と非常用光源ユニット３０の天井９０を基準とした下方への高さは、常用光源ユニット２０より非常用光源ユニット３０を高くなる構成としている。その高さの差は５ｍｍ以上である。この高さは、常用光源ユニット２０の配光を邪魔しない高さである。言い換えると、照明器具本体１０の構造物（天井９０）への設置面（取付面１２ａ）から常用光源ユニット２０の出射面までの高さより、照明器具本体１０の構造物（天井９０）への接地面（取付面１２ａ）から非常用光源ユニット３０の出射面までの高さの方が高い構成としている。
【００３２】
更に、非常用光源ユニット３０の化粧カバー３８は金属製であることが望ましいが、常用光源ユニット２０のＬＥＤカバー２４を構成する樹脂（例えばポリカーボネート）よりも高い耐熱性を有した樹脂製でもよい。
【００３３】
本実施形態の照明器具が上述のよう構成されれば、天井、側壁に取り付ける照明器具の常用光源ユニットが熱による変形時に、非常用光源ユニットの配光を遮ることを防止できる。
【符号の説明】
【００３４】
１    従来技術の照明器具１
２    本考案技術の照明器具２
１００  照明器具
１０    照明器具本体
１２    照明器具本体１０の取付面
１２ａ  照明器具本体１２の取付面外
１２ｂ  照明器具本体１２の取付面内
１４    照明器具本体１０の逆凹部
１６    照明器具本体１０の傾斜部
１６１  傾斜部１６に形成した貫通穴
１７    照明器具本体１０に形成した通線孔
１８    照明器具本体１０に形成した取付穴
２０    常用光源ユニット
２１    常用光源ユニット２０の取付板
２２    常用光源ユニット２０の常用ＬＥＤモジュール
２３    常用ＬＥＤモジュール２２を実装する常用光源基板
２４    常用光源ユニット２０のＬＥＤカバー
２５    常用光源ユニット２０の電源装置
２７    常用光源ユニット２０の常用接続コネクタ
３０    非常用光源ユニット
３１    非常用光源ユニット３０の収納ボックス
３１１  収納ボックス３１の通線溝
３２    非常用光源ユニット３０の非常用ＬＥＤモジュール
３３    非常用ＬＥＤモジュール２３を実装する常用光源基板
３３１  充電線
３３２  充電線３３１先端の非常用接続コネクタ
３４    非常用光源ユニット３０のレンズカバー
３４１  レンズカバー３４のレンズ部
３５    非常用光源ユニット３０のガラスカバー
３６    非常用光源ユニット３０の非常用制御基板
３７    非常用光源ユニット３０の非常用接続コネクタ
３８    非常用光源ユニット３０の化粧カバー
３８１  化粧カバー３８の底面
３８２  化粧カバー３８の光路孔
３８３  化粧カバー３８の通線溝
３９    非常用光源ユニット３０の取付蓋
３９１  取付蓋３９の蓋部
３９２  取付蓋３９１を延出させて蓋締結部
４０    蓄電池
４１    蓄電池４０の引出線
４２    引出線４１先端の非常用接続コネクタ
４３    蓄電池４０の押え金具
５０    電源接続端子台
５１    非常用電源線
６０    非常点検用操作部
９０    天井
９２    電源線
９４    吊ボルト
Ａ      凸部
【図１】
2020173975.tif 000003
【図２】
2020173975.tif 000004
【図３】
2020173975.tif 000005
【図４】
2020173975.tif 000006
【図５】
2020173975.tif 000007
【図６】
2020173975.tif 000008
【図７】
2020173975.tif 000009
【図８】
2020173975.tif 000010